(57)【要約】【課題】ＨＤＭＩ等により接続されたソース機器とシンク機器のシステムにおいて、従来のソース機器が接続される場合であっても、ソース機器とシンク機器の映像音声データのフォーマットを合致させ、映像音声データの伝送を可能にする。【解決手段】シンク機器１１０の制御部１１１は、非対応フォーマットの映像音声データを受信した時に、ＥＤＩＤ格納領域１１３のＥＤＩＤを書き換えて、ソース機器１２０へ異なるＥＤＩＤを再度読み込ませて、ソース機器１２０から出力される映像音声データのフォーマットをシンク機器１１０が対応するフォーマットへ切り替える。この際、一度必須フォーマットのＥＤＩＤに変更後、元の対応可能なフォーマットのＥＤＩＤに戻すように、ＥＤＩＤの設定を切り替えることで、ソース機器１２０が認識しているシンク機器１１０にて対応可能なフォーマット情報を更新する。【選択図】図１
2012199643.tif 000002
【特許請求の範囲】
【請求項１】
映像データと音声データの少なくとも一方を含む映像音声データを送信するソース機器と、前記映像音声データを受信するシンク機器とが、通信路を介してデータ通信する通信制御システムであって、
前記シンク機器は、
前記映像音声データを処理する映像音声受信処理部と、
前記映像音声受信処理部において処理可能な前記映像音声データのフォーマット情報を格納するフォーマット情報記憶領域と、
前記ソース機器から処理不可能なフォーマットの映像音声データを受信した場合、前記フォーマット情報記憶領域に格納されているフォーマット情報を特定のフォーマット情報に設定して前記ソース機器へ読み込ませ、前記ソース機器が保持している前記シンク機器の映像音声データのフォーマット情報を更新させ、自装置が処理可能なフォーマットの映像音声データを送信させる制御部と、
を備える通信制御システム。
【請求項２】
前記シンク機器の制御部は、前記ソース機器が前記通信路から切断したことを検出すると、前記フォーマット情報の更新処理を中断する請求項１に記載の通信制御システム。
【請求項３】
ソース機器と通信路を介して接続され、前記ソース機器から映像データと音声データの少なくとも一方を含む映像音声データを受信するシンク機器であって、
前記映像音声データを処理する映像音声受信処理部と、
前記映像音声受信処理部において処理可能な前記映像音声データのフォーマット情報を格納するフォーマット情報記憶領域と、を備え、
前記フォーマット情報記憶領域は、前記処理可能な映像音声データのフォーマット情報として、特定の一つのフォーマット情報を含んだ第一の格納データと、処理可能なフォーマット情報を全て含んだ第二の格納データとのいずれかを選択的に格納するシンク機器。
【請求項４】
前記第一の格納データとして、ＨＤＭＩの規格で定められている必須のフォーマット情報のみを前記フォーマット情報記憶領域へ格納する請求項３に記載のシンク機器。
【請求項５】
前記ソース機器から処理不可能なフォーマットの映像音声データを受信した場合、前記第一の格納データを前記フォーマット情報記憶領域へ格納して前記ソース機器へ読み込ませ、前記ソース機器が保持している前記シンク機器の映像音声データのフォーマット情報を更新させ、前記第一の格納データに対応するフォーマットの映像音声データを前記ソース機器から受信すると、前記第二の格納データを前記フォーマット情報記憶領域へ格納して前記ソース機器へ読み込ませ、自装置が処理可能なフォーマットの映像音声データを送信させる制御部をさらに備える請求項３に記載のシンク機器。
【請求項６】
前記制御部は、前記第一の格納データを前記フォーマット情報記憶領域へ格納して前記ソース機器へ読み込ませ、前記第一の格納データに対応するフォーマットの映像音声データを受信しない場合、再度、前記第一の格納データのフォーマット情報を前記ソース機器へ読み込ませる請求項３に記載のシンク機器。
【請求項７】
前記制御部は、前記フォーマット情報の更新処理中、前記ソース機器より受信している映像音声データをミュートさせる請求項５に記載のシンク機器。
【発明の詳細な説明】
【技術分野】
【０００１】
本発明は、マルチメディアインターフェイスを介し接続されたシンク機器とソース機器との間で映像データ及び音声データ（以下、「映像音声データ」と記載）を送受信するためのシステムに適用した、通信制御システム、及びシンク機器に関するものである。
【背景技術】
【０００２】
従来の映像音声信号伝送システムとして、デジタル化された映像音声データを伝送するための規格として、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格が普及している。ＨＤＭＩによってシンク機器とソース機器とを接続して機器間で映像音声データを送受信する際に、ソース機器とシンク機器間でのフォーマットの不一致が発生し、映像音声がディスプレイまたはスピーカへ出力されなくなる問題が生じることがあった。このようなフォーマットの不一致は、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）またはＥｎｈａｎｃｅｄ  ＥＤＩＤによるフォーマットの検出が正常に行われなかった場合、あるいは、ソース機器を操作するユーザが誤ってシンク機器の非対応のフォーマットを指定する操作を行った場合、などに発生する。フォーマットの不一致が発生すると、ディスプレイへ映像出力ができないため、ユーザは対応しているフォーマットを選択することができず、フォーマットを一致させる状態へ戻すことは困難であった。
【０００３】
上記の問題に対して、従来技術として、ソース機器が対応している全フォーマットの映像音声データを一定間隔で順次に出力し、ユーザが特定のフォーマットを決定する方法が知られている（例えば特許文献１参照）。この従来技術によれば、ユーザが好みのフォーマットを決定することができる。
【０００４】
また、別の手段として、ＨＤＭＩのオプション規格である、ＣＥＣ（Ｃｏｎｓｕｍｅｒ  Ｅｌｅｃｔｒｏｎｉｃｓ  Ｃｏｎｔｒｏｌ）（例えば、非特許文献１を参照）を用いて、コマンドデータ通信により、シンク機器からソース機器へ、受信可能な映像音声データのフォーマットの通知を行い、シンク機器が対応可能なフォーマットのみを選択できるようにする方法が知られている（例えば特許文献２参照）。この従来技術によれば、ユーザが、誤ってシンク機器の非対応のフォーマットの選択を行うことを防ぐことができる。
【先行技術文献】
【特許文献】
【０００５】
【特許文献１】特開２００８−０５８３６９号公報
【特許文献２】特開２００８−１９７５２９号公報
【非特許文献】
【０００６】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ
【発明の概要】
【発明が解決しようとする課題】
【０００７】
上記のような従来技術を利用することで、ＨＤＭＩ接続されたソース機器とシンク機器間の映像音声データのフォーマットの不一致を防ぐことができる。
しかしながら、上記従来技術の場合、ソース機器側が対応することにより実現可能となる。ソース機器では、ＨＤＭＩのオプション技術であるＣＥＣ機能の実装などの対応が必要であり、上記従来技術に対応していないレガシーなソース機器とのＨＤＭＩ接続の場合、フォーマットの不一致による問題を回避することができないという課題を有していた。
【０００８】
本発明は、従来の問題を解決するためになされたもので、ソース機器とシンク機器との間で映像音声データを伝送するシステムにおいて、従来のソース機器が接続される場合であっても、ソース機器とシンク機器間の映像音声データのフォーマットを一致させ、映像音声データの伝送を行うことのできる通信制御システム、及びシンク機器を提供することを目的とする。
【課題を解決するための手段】
【０００９】
上記目的を達成するために、本発明の通信制御システムは、映像データと音声データの少なくとも一方を含む映像音声データを送信するソース機器と、前記映像音声データを受信するシンク機器とが、通信路を介してデータ通信する通信制御システムであって、前記シンク機器は、前記映像音声データを処理する映像音声受信処理部と、前記映像音声受信処理部において処理可能な前記映像音声データのフォーマット情報を格納するフォーマット情報記憶領域と、前記ソース機器から処理不可能なフォーマットの映像音声データを受信した場合、前記フォーマット情報記憶領域に格納されているフォーマット情報を特定のフォーマット情報に設定して前記ソース機器へ読み込ませ、前記ソース機器が保持している前記シンク機器の映像音声データのフォーマット情報を更新させ、自装置が処理可能なフォーマットの映像音声データを送信させる制御部と、を備える。
【発明の効果】
【００１０】
本発明によれば、従来のソース機器が接続される場合であっても、ソース機器とシンク機器間の映像音声データのフォーマットを一致させ、映像音声データの伝送を行うことのできる効果を奏する。
【図面の簡単な説明】
【００１１】
【図１】本発明の実施の形態における通信制御システムの構成図
【図２】本発明の実施の形態におけるシンク機器の出力画面１（コーション画面２０１）を示す図
【図３】本発明の実施の形態におけるシンク機器の出力画面２（コーション画面３０１）を示す図
【図４】本発明の実施の形態における通信制御システムのシンク機器動作説明のためのフロー図
【図５】本発明の実施の形態におけるシンク機器の映像音声データのフォーマット例
【図６】本発明の実施の形態におけるシンク機器の必須の映像音声データのフォーマット例
【発明を実施するための形態】
【００１２】
以下、本発明の実施の形態について図面を参照しながら説明する。
本実施の形態では、ＨＤＭＩによってシンク機器とソース機器とを接続し、シンク機器とソース機器との間で映像音声データを送受信する構成の一例を示す。
【００１３】
ＨＤＭＩは、複数の映像音声データのフォーマットに対応している。例えば、映像データであれば、解像度別に４８０ｐ、５７６ｐ、７２０ｐ、１０８０ｉ、１０８０ｐなど、また音声データであれば、リニアＰＣＭ、ドルビーデジタル、各種圧縮オーディオなどに対応している。映像音声データを送信するソース機器と、映像音声データを受信するシンク機器は、上記のＨＤＭＩで伝送可能な映像音声データフォーマットの中から、各々の機器が送受信可能なフォーマットを指定し、指定したフォーマットの映像音声データをＨＤＭＩによって伝送する。
【００１４】
ＨＤＭＩ伝送する映像音声データのフォーマットを指定する方法として、ＥＤＩＤを使用する方法がある。ＥＤＩＤは、シンク機器のもつディスプレイまたはスピーカ出力に対応可能な映像音声データのフォーマットをＩＤとして列挙したデータ列である。ＨＤＭＩ伝送において、ＥＤＩＤは２５６バイト以上のデータで構成されており、映像データフォーマットを識別する情報を格納するＶｉｄｅｏ  Ｄａｔａ  Ｂｌｏｃｋと、音声データフォーマットを識別する情報を格納するＡｕｄｉｏ  Ｄａｔａ  Ｂｌｏｃｋの領域を有する。
【００１５】
ソース機器は、ＨＤＭＩで規定されているＤＤＣ（Ｄｉｓｐｌａｙ  Ｄａｔａ  Ｃｈａｎｎｅｌ）という通信ラインより、シンク機器の持つＥＤＩＤのデータ列を取得し、シンク機器が受信可能な映像音声データのフォーマットを認識する。ソース機器は、認識した使用可能なフォーマットより最適なフォーマットを自動で選定し、映像音声データの送信を行う（例えば、非特許文献１を参照）。また、上記に加えて、ソース機器の機能として、ソース機器が送信する映像音声データのフォーマットを選択する画面をシンク機器のディスプレイへ出力し、ユーザ操作で特定のフォーマットを選択する機能を有するものもある。
【００１６】
上記のＥＤＩＤによるフォーマットの検出が正常に行われなかった場合、あるいは、ソース機器を操作するユーザが誤ってシンク機器の非対応のフォーマットを指定する操作を行った場合、ソース機器とシンク機器間でのフォーマットの不一致が発生することがある。
【００１７】
上記機器間のフォーマットの不一致を防止するため、本実施の形態では、シンク機器側においてソース機器とシンク機器間の映像音声データのフォーマットを一致させる機能を持つものとする。
【００１８】
図１は本発明の実施の形態における通信制御システムの構成を示すブロック図である。図１に示すように、通信制御システム１０は、ＨＤＭＩ伝送路１００を介して、シンク機器１１０、ソース機器１２０が接続され、映像音声データの伝送、及び、機器間の制御通信が可能である。シンク機器１１０は映像音声データを受信する機器であり、ソース機器１２０は映像音声データを送信する機器である。ここで、「映像音声データ」としては、映像データ、音声データの少なくとも一方を含むデータを指すものとする。
【００１９】
ＨＤＭＩ伝送路１００には少なくとも、ＴＭＤＳライン１００Ａ、＋５Ｖ  Ｐｏｗｅｒライン１００Ｂ、Ｈｏｔ  Ｐｌｕｇ  Ｄｅｔｅｃｔライン１００Ｃ、ＤＤＣライン１００Ｄが含まれる。
【００２０】
ＴＭＤＳライン１００Ａは、映像音声データを伝送するために用いられる。＋５Ｖ  Ｐｏｗｅｒライン１００Ｂは、シンク機器１１０が、ソース機器１２０の接続検出をするために用いられる。ソース機器１２０がシンク機器１１０と接続され、映像音声データを送信できる状態の時に、ソース機器１２０から＋５Ｖ  Ｐｏｗｅｒライン１００ＢにＨｉｇｈレベルの信号が流される。シンク機器１１０は、＋５Ｖ  Ｐｏｗｅｒライン１００ＢでＬｏｗレベル状態を検出すると、ソース機器１２０が切断されていると判断し、Ｈｉｇｈレベル状態を検出すると、ソース機器１２０が接続されていると判断する。
【００２１】
ＤＤＣライン１００Ｄは、シンク機器１１０のもつディスプレイまたはスピーカ出力に対応可能な映像音声データのフォーマットをＩＤとして列挙したデータ列である、ＥＤＩＤの伝送に用いられる。
【００２２】
Ｈｏｔ  Ｐｌｕｇ  Ｄｅｔｅｃｔライン１００Ｃは、ソース機器１２０に対して、シンク機器１１０のＥＤＩＤが読み出し可能な状態であることを知らせるために用いられる。シンク機器１１０のＥＤＩＤが読み出し可能な状態の場合、シンク機器１１０からＨｏｔ  Ｐｌｕｇ  Ｄｅｔｅｃｔライン１００ＣにＨｉｇｈレベルの信号が流される。Ｈｏｔ  Ｐｌｕｇ  Ｄｅｔｅｃｔライン１００ＣがＬｏｗレベル状態の場合、ソース機器１２０は、映像音声データの送信を停止させなければならない。
【００２３】
シンク機器１１０は、制御部１１１と、ＨＤＭＩ伝送部１１２と、ＥＤＩＤ格納領域１１３と、映像音声受信処理部１１４と、ディスプレイ１１５と、スピーカ１１６とを備えており、例えばディスプレイ機器である。
【００２４】
制御部１１１は、例えばＣＰＵ、メモリ（ＲＯＭ、ＲＡＭ等）を含むコンピュータにより構成される。ＣＰＵは、例えばＲＯＭに格納されたコンピュータプログラムを、ＲＡＭを作業領域として使いながら実行することにより、各種処理を行って所定の機能を実現する。
【００２５】
このような制御部１１１は、ＨＤＭＩ伝送部１１２と、ＥＤＩＤ格納領域１１３と、映像音声受信処理部１１４と、ディスプレイ１１５と、スピーカ１１６を制御し、シンク機器１１０に関する処理を行う。シンク機器１１０に関する処理としては、例えば、ソース機器１２０より伝送された映像音声データのフォーマットの情報に基づき、ＥＤＩＤ格納領域１１３のデータの書き換えなど、本実施の形態で行われる処理全般がある。
【００２６】
制御部１１１は、受信した映像音声データのフォーマットとして、自装置において非対応のフォーマットを受信した場合に、ユーザに対するコーション情報（注意情報）を含む出力画面をディスプレイ１１５上へ表示させる処理も行う。ユーザ通知用の出力画面としては、例えば、図２、図３に示すようなコーション画面２０１、３０１をディスプレイ１１５に表示する。
【００２７】
ＨＤＭＩ伝送部１１２は、制御部１１１が制御処理を行うことにより、ソース機器１２０とのＨＤＭＩ伝送路１００上の伝送処理を行う。ソース機器１２０からＨＤＭＩ伝送路１００を通じて受信した信号のうち、映像音声データを映像音声受信処理部１１４へ伝送し、＋５Ｖ  Ｐｏｗｅｒライン１００Ｂの状態を制御部１１１へ通知する。また、ＨＤＭＩ伝送部１１２は、ソース機器１２０からのＥＤＩＤの取得要求に対して、ＥＤＩＤ格納領域１１３のＥＤＩＤの転送をＤＤＣライン１００Ｄを用いて行う。また、ＨＤＭＩ伝送部１１２は、制御部１１１からの指示により、Ｈｏｔ  Ｐｌｕｇ  Ｄｅｔｅｃｔライン１００ＣのＨｉｇｈレベル／Ｌｏｗレベルの切り替え制御を行う。
【００２８】
ＥＤＩＤ格納領域１１３は、シンク機器１１０のもつディスプレイまたはスピーカ出力に対応可能な映像音声データのフォーマットをＩＤとして列挙したデータ列であるＥＤＩＤを格納する領域である。ＥＤＩＤ格納領域１１３は、制御部１１１よりデータの書き換えが可能な記憶領域であり、不揮発性メモリ等の記憶媒体により構成される。
【００２９】
映像音声受信処理部１１４は、シグナルプロセッサ等により構成され、制御部１１１が制御処理を行うことにより、映像音声データの信号処理を行う。映像音声受信処理部１１４は、ソース機器１２０から伝送された映像音声データに関して、映像データは映像信号にしてディスプレイ１１５へ表示し、音声データは音声信号にしてスピーカ１１６へ出力する。また、映像音声受信処理部１１４は、受信した映像音声データの各々のフォーマットを検出し、制御部１１１へ通知する。また、映像音声受信処理部１１４は、制御部１１１の制御により、ディスプレイ１１５とスピーカ１１６への出力を停止させ、ミュート（ＭＵＴＥ）させる。
【００３０】
ソース機器１２０は、ＨＤＭＩ伝送部１２１を搭載した機器であり、例えばＢＤ（Blu-ray Disc）（商標）プレーヤである。ソース機器１２０は、ＨＤＭＩ伝送路１００によって、シンク機器１１０と接続された場合、＋５Ｖ  Ｐｏｗｅｒライン１００ＢへＨｉｇｈレベルの信号を流し、シンク機器１１０に対して機器の接続を検知させる機能を持つ。また、ソース機器１２０は、Ｈｏｔ  Ｐｌｕｇ  Ｄｅｔｅｃｔライン１００ＣがＨｉｇｈレベルであることを検出すると、ＤＤＣライン１００Ｃよりシンク機器１１０からのＥＤＩＤの受信を行い、ＴＭＤＳライン１００Ａへ映像音声データの送信を行う機能を持つ。
【００３１】
以上のように構成された通信制御システムについて、以下にその処理動作を図４、図５、図６を用いて説明する。
【００３２】
シンク機器１１０は、図５に示す通り、映像データの対応フォーマットとして、４８０ｐ、７２０ｐ、１０８０ｉに対応し、音声データの対応フォーマットとして、リニアＰＣＭの６ｃｈに対応しているものとする。そして、シンク機器１１０は、これらの対応フォーマットをＥＤＩＤのデータとして、ＥＤＩＤ格納領域１１３へ格納している。
【００３３】
図４は本発明の実施の形態における通信制御システムのシンク機器１１０の処理フロー図である。本処理フローは、シンク機器１１０において、自装置が対応していない映像音声データのフォーマットを受信したことを、検出した際に開始する。今回、ソース機器１２０が、シンク機器１１０が対応していない１０８０ｐの映像データを出力したものとし、図４の処理フローを開始する。
【００３４】
シンク機器１１０の制御部１１１は、映像音声受信処理部１１４より、非対応の映像フォーマット１０８０ｐを受信していることの通知を受けると、映像音声受信処理部１１４の映像音声データ出力の停止を行いミュート（ＭＵＴＥ）させるＭＵＴＥ処理を行う。そして制御部１１１は、ディスプレイ１１５へ図２のコーション画面２０１を出力させ、ユーザに対して、ソース機器１２０が、非対応のフォーマットを出力し、シンク機器１１０が復帰処理を行っていることを通知する（Ｓ４０１）。
【００３５】
制御部１１１は、図６に示す通り、ＥＤＩＤのデータをＨＤＭＩ規格の必須フォーマットに書き換えて、ＥＤＩＤ格納領域１１３へ書き込む（Ｓ４０２）。このとき、映像データのフォーマットは、図５に示す４８０ｐ、７２０ｐ、１０８０ｉから、ＨＤＭＩ規格の必須フォーマットとして、図６に示す４８０ｐのみに対応するＥＤＩＤを生成する。なお、映像データの必須フォーマットは、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）対応のシンク機器であれば４８０ｐ、ＰＡＬ（Ｐｈａｓｅ  Ａｌｔｅｒｎａｔｉｎｇ  Ｌｉｎｅ）対応のシンク機器であれば５７６ｐを設定する。また、音声データのフォーマットは、図５に示すリニアＰＣＭ６ｃｈから、ＨＤＭＩ規格の必須フォーマットとして、図６に示すリニアＰＣＭ２ｃｈのみに対応するＥＤＩＤを生成する。
【００３６】
ここで、映像データのフォーマットを４８０ｐのみに設定する理由を述べる。ＨＤＭＩ規格において、４８０ｐは必須のフォーマットであり、ＥＤＩＤに記載されていなくても対応することをソース機器１２０へ示すことができる。ここで、例えば７２０ｐに設定すると、７２０ｐと４８０ｐの両方に対応しているということをソース機器１２０へ示すことになる。その場合、制御部１１１は、以降のステップＳ４０６の判断で、７２０ｐもしくは４８０ｐを受信したかの判断が必要となる。本実施の形態では、制御部１１１において一意にフォーマットを検出できるようにするため、４８０ｐに設定する。
【００３７】
制御部１１１は、以降のステップＳ４０３〜Ｓ４０６の処理を繰り返した回数をカウントしており、その回数があらかじめ設定されている閾値回数α回を超えているかどうかを判断する（Ｓ４０３）。ここで、閾値回数を３回と設定すると、ステップＳ４０３〜Ｓ４０６の処理を３回繰り返すことになる。
【００３８】
制御部１１１は、ステップＳ４０３で、閾値回数αを超えていない場合、ステップＳ４０４の処理へ進む。制御部１１１は、ＨＤＭＩ伝送部１１２を制御し、Ｈｏｔ  Ｐｌｕｇ  Ｄｅｔｅｃｔライン１００ＣをＬｏｗレベルに設定し、一定期間後にＨｉｇｈレベルに設定する。これによって、制御部１１１は、ソース機器１２０に対して、ＥＤＩＤを再読み込みさせ、ＨＤＭＩ伝送の再接続処理を行わせる（Ｓ４０４）。
【００３９】
ＨＤＭＩ伝送の再接続処理後、ソース機器１２０より、映像音声受信処理部１１４において映像音声データを受信すると、制御部１１１は、映像音声受信処理部１１４より、現在受信している映像音声データのフォーマットを取得する（Ｓ４０５）。
【００４０】
制御部１１１は、受信したフォーマットが、ステップＳ４０２で設定したＥＤＩＤの映像フォーマット、すなわち必須フォーマットである４８０ｐかどうかの判断を行う（Ｓ４０６）。
【００４１】
制御部１１１は、ステップＳ４０６で、受信した映像フォーマットが４８０ｐでない場合は、ステップＳ４０３へ戻り、最大閾値回数α回分ステップＳ４０３〜Ｓ４０６の処理を繰り返す。
【００４２】
制御部１１１は、ステップＳ４０３で閾値回数αを超えている場合、ソース機器１２０がシンク機器１１０に対応するフォーマットへ戻すことが出来ないと判断し、ステップＳ４１１の処理へ進む。制御部１１１は、ＨＤＭＩ伝送部１１２を制御し、Ｈｏｔ  Ｐｌｕｇ  Ｄｅｔｅｃｔライン１００ＣをＬｏｗレベルに設定し、ソース機器１２０からのＨＤＭＩ伝送を停止させる（Ｓ４１１）。
【００４３】
その後、制御部１１１は、ディスプレイ１１５へ図３のコーション画面３０１を出力させ、ユーザに対して、シンク機器１１０の復帰処理が行えなかったことを通知し、接続機器の設定を確認するよう促し、本処理を終了する（Ｓ４１２）。
【００４４】
制御部１１１は、ステップＳ４０６で受信した映像フォーマットが４８０ｐである場合、ステップＳ４０７の処理へ進む。
【００４５】
制御部１１１は、ソース機器１２０に対して、シンク機器１１０が対応している全フォーマットを再度通知させるために、ＥＤＩＤのデータを元のフォーマットに書き換えて、ＥＤＩＤ格納領域１１３へ書き込む（Ｓ４０７）。このとき、図５に示すように、元のフォーマットである、映像データのフォーマット４８０ｐ、７２０ｐ、１０８０ｉと、音声データのフォーマットのリニアＰＣＭの６ｃｈとに対応するＥＤＩＤを設定する。
【００４６】
その後、制御部１１１は、ＨＤＭＩ伝送部１１２を制御し、Ｈｏｔ  Ｐｌｕｇ  Ｄｅｔｅｃｔライン１００ＣをＬｏｗレベルに設定し、一定期間後にＨｉｇｈレベルに設定する。これによって、制御部１１１は、ソース機器１２０に対して、ＥＤＩＤを再読み込みさせ、ＨＤＭＩ伝送の再接続処理を行わせる（Ｓ４０８）。
【００４７】
ＨＤＭＩ伝送の再接続処理後、ソース機器１２０より、映像音声受信処理部１１４において映像音声データを受信すると、制御部１１１は、映像音声受信処理部１１４より、現在受信している映像音声データのフォーマットを取得する（Ｓ４０９）。
【００４８】
制御部１１１は、フォーマット検出後、映像音声受信処理部１１４のミュート（ＭＵＴＥ）を解除し、映像音声出力を再開させ、ソース機器１２０より入力した映像音声データをディスプレイ１１５とスピーカ１１６へ出力させ、本処理を終了する（Ｓ４１０）。
【００４９】
ステップＳ４０９にて、シンク機器１１０に対応していない映像音声データのフォーマットを受信している場合は、図４の処理を最初からやり直す。
【００５０】
図４に示す一連の処理において、ステップＳ４０２とステップＳ４０７で２種類のＥＤＩＤを使用する理由は、ソース機器１２０によっては、同じＥＤＩＤの場合、読み込みを行っても、シンク機器１１０のＥＤＩＤの更新を行わない場合があるためである。
【００５１】
図４の一連の処理中に、シンク機器１１０の制御部１１１が、＋５Ｖ  Ｐｏｗｅｒライン１００ＢのＬｏｗレベル状態の検出により、ソース機器１２０が切断されたことを検出した場合、図４の処理を即時に終了させ、図４の処理が開始される前の状態に戻す。これは、次に他のソース機器が接続されることを考慮するためである。
【００５２】
上記図４の処理の説明では、映像データが非対応フォーマットの場合の例を示したが、ソース機器１２０が音声データの非対応フォーマットを出力した場合も同様の処理が行われる。例えば、ソース機器１２０がリニアＰＣＭ８ｃｈを出力したとき、もしくは圧縮オーディオを送信したとき等が考えられる。図４の処理において、音声データが非対応のフォーマットの場合は、前述で示した通り、ステップＳ４０２において、音声データのフォーマットはリニアＰＣＭ２ｃｈのみ対応するＥＤＩＤを生成し、ＥＤＩＤ格納領域１１３へ書き込む。ステップＳ４０６の判断処理で、音声データがＨＤＭＩ規格の必須データであるリニアＰＣＭ２ｃｈであるかどうかを判断する。
【００５３】
また、ソース機器１２０が、映像データと音声データのどちらも非対応のフォーマットを出力した場合は、ステップＳ４０６において、映像データまたは音声データのどちらか片方のフォーマットで判断し、処理を行う。
【００５４】
以上のように本実施の形態では、シンク機器１１０が非対応フォーマットの映像音声データを受信した時に、シンク機器１１０のＥＤＩＤを制御し、ソース機器１２０へ異なるＥＤＩＤを再度読み込ませる。この機能によって、ソース機器１２０が認識しているシンク機器１１０の対応フォーマットを更新し、ソース機器１２０から出力される映像音声データのフォーマットをシンク機器１１０にて処理可能なフォーマットへ切り替えることができる。
【００５５】
したがって、本実施の形態によれば、ソース機器１２０とシンク機器１１０間でのフォーマットの不一致が発生し、映像音声がディスプレイまたはスピーカへ出力されなかった場合であっても、映像音声データのフォーマットを一致させることが可能になる。この際、ソース機器１２０側で機能を付加する必要がなく、また、ユーザの操作なしに自動的に、ソース機器１２０の映像音声データのフォーマットと、シンク機器１１０の映像音声データのフォーマットとを合致させ、伝送を行うことが可能になる。
【００５６】
なお、本実施の形態において、シンク機器１１０のもつ、一つのＥＤＩＤ格納領域１１３を書き換えることで、２種類の異なるＥＤＩＤを設定する例を示したが、あらかじめ２種類のＥＤＩＤのデータを格納する領域を用意し、随時片方を使用する方法をとっても良い。また、ＥＤＩＤ格納領域１１３を、制御部１１１の記憶領域、もしくは、ＨＤＭＩ伝送部１１２の記憶領域へ組み込む形をとっても良い。
【００５７】
また、図５のＥＤＩＤのデータの構成は一例であり、この例に限定されるものではない。また、図４のステップＳ４０２では、ＨＤＭＩ規格の必須フォーマットである４８０ｐとリニアＰＣＭ２ｃｈを指定したが、ステップＳ４０７で書き込む元のＥＤＩＤとの差分があれば、シンク機器１１０が受信できるいずれの映像音声データのフォーマットであっても良い。
【００５８】
また、図４のステップＳ４０３の閾値回数αを１回として、ステップＳ４０３〜Ｓ４０６の処理を１回だけにする方法をとっても良い。
【００５９】
また、図４では、ソース機器、シンク機器ともに、映像音声データの伝送に対応しているものとして説明したが、ソース機器１２０が、音声データの送信に対応していない場合も考えられる。この場合、シンク機器１１０は映像データ受信に対してのみ図４の処理を行い、ステップＳ４０５及びＳ４０９での音声データ受信を確認しない方法をとっても良い。また、シンク機器１１０が、音声データの受信に対応していない場合は、ステップＳ４０２の必須フォーマットのＥＤＩＤ作成時に、映像データのフォーマットのみ記載する方法を取り、ステップＳ４０５及びＳ４０９での映像音声データ受信確認において、映像データの受信のみ確認する方法をとっても良い。
【００６０】
また、図１のシンク機器１１０の構成では、ディスプレイ１１５とスピーカ１１６を内蔵している例を示しているが、これらを外部機器としてシンク機器１１０に接続可能な構成としてもよい。
【００６１】
本発明に係る実施形態の種々の態様として、以下のものが含まれる。
映像データと音声データの少なくとも一方を含む映像音声データを送信するソース機器と、前記映像音声データを受信するシンク機器とが、通信路を介してデータ通信する通信制御システムであって、前記シンク機器は、前記映像音声データを処理する映像音声受信処理部と、前記映像音声受信処理部において処理可能な前記映像音声データのフォーマット情報を格納するフォーマット情報記憶領域と、前記ソース機器から処理不可能なフォーマットの映像音声データを受信した場合、前記フォーマット情報記憶領域に格納されているフォーマット情報を特定のフォーマット情報に設定して前記ソース機器へ読み込ませ、前記ソース機器が保持している前記シンク機器の映像音声データのフォーマット情報を更新させ、自装置が処理可能なフォーマットの映像音声データを送信させる制御部と、を備える通信制御システム。
上記構成により、ソース機器側の追加機能、あるいはユーザによる操作等の必要なく、ソース機器の映像音声データのフォーマットと、シンク機器の映像音声データのフォーマットとを一致させ、伝送を行うことが可能になる。
【００６２】
上記の通信制御システムであって、前記シンク機器の制御部は、前記ソース機器が前記通信路から切断したことを検出すると、前記フォーマット情報の更新処理を中断する通信制御システム。
上記構成により、他のソース機器が接続されるような場合に適切に対応することができる。
【００６３】
ソース機器と通信路を介して接続され、前記ソース機器から映像データと音声データの少なくとも一方を含む映像音声データを受信するシンク機器であって、前記映像音声データを処理する映像音声受信処理部と、前記映像音声受信処理部において処理可能な前記映像音声データのフォーマット情報を格納するフォーマット情報記憶領域と、を備え、前記フォーマット情報記憶領域は、前記処理可能な映像音声データのフォーマット情報として、特定の一つのフォーマット情報を含んだ第一の格納データと、処理可能なフォーマット情報を全て含んだ第二の格納データとのいずれかを選択的に格納するシンク機器。
上記構成により、ソース機器に対して、特定のフォーマット情報と自装置が処理可能な全てのフォーマット情報のいずれかを通知し、ソース機器が認識しているシンク機器の対応フォーマットを更新させることができる。
【００６４】
上記のシンク機器であって、前記第一の格納データとして、ＨＤＭＩの規格で定められている必須のフォーマット情報のみを前記フォーマット情報記憶領域へ格納するシンク機器。
上記構成により、ソース機器に対して、ＨＤＭＩの規格で定められている必須のフォーマット情報を通知し、ソース機器が認識しているシンク機器の対応フォーマットを更新させることができる。
【００６５】
上記のシンク機器であって、前記ソース機器から処理不可能なフォーマットの映像音声データを受信した場合、前記第一の格納データを前記フォーマット情報記憶領域へ格納して前記ソース機器へ読み込ませ、前記ソース機器が保持している前記シンク機器の映像音声データのフォーマット情報を更新させ、前記第一の格納データに対応するフォーマットの映像音声データを前記ソース機器から受信すると、前記第二の格納データを前記フォーマット情報記憶領域へ格納して前記ソース機器へ読み込ませ、自装置が処理可能なフォーマットの映像音声データを送信させる制御部をさらに備えるシンク機器。
上記構成により、ソース機器側の追加機能、あるいはユーザによる操作等の必要なく、ソース機器の映像音声データのフォーマットと、シンク機器の映像音声データのフォーマットとを一致させ、伝送を行うことが可能になる。
【００６６】
上記のシンク機器であって、前記制御部は、前記第一の格納データを前記フォーマット情報記憶領域へ格納して前記ソース機器へ読み込ませ、前記第一の格納データに対応するフォーマットの映像音声データを受信しない場合、再度、前記第一の格納データのフォーマット情報を前記ソース機器へ読み込ませるシンク機器。
上記構成により、一度でソース機器が認識しているシンク機器の対応フォーマットが更新できない場合、再度第一の格納データのフォーマット情報を読み込ませて更新することが可能である。
【００６７】
上記のシンク機器であって、前記制御部は、前記フォーマット情報の更新処理中、前記ソース機器より受信している映像音声データをミュートさせるシンク機器。
上記構成により、フォーマット情報の更新の際に、不要な映像及び音声の出力を停止することができる。
【００６８】
以上、本発明を詳細に説明したが、上記説明はあらゆる意味において例示的なものであり限定的なものではない。本発明の範囲から逸脱することなしに多くの他の改変及び変形例が可能であることが理解される。
【産業上の利用可能性】
【００６９】
本発明に係わる通信制御システム、及びシンク機器は、従来のソース機器が接続される場合であっても、ソース機器とシンク機器間の映像音声データのフォーマットを一致させ、映像音声データの伝送を行うことのできる効果を有する。本発明は、例えばＨＤＭＩによって接続されるソース機器及びシンク機器を有するシステム等として有用であり、シンク機器が対応する映像音声データのフォーマットが限られる、特に車載環境など、ディスプレイサイズが小さく、高解像度の映像フォーマットに対応していないシンク機器を搭載するシステム等に好適である。
【符号の説明】
【００７０】
１０  通信制御システム
１００  ＨＤＭＩ伝送路
１１０  シンク機器
１２０  ソース機器
１００Ａ  ＴＭＤＳライン
１００Ｂ  ＋５Ｖ  Ｐｏｗｅｒライン
１００Ｃ  Ｈｏｔ  Ｐｌｕｇ  Ｄｅｔｅｃｔライン
１００Ｄ  ＤＤＣライン
１１１  制御部
１１２、１２１  ＨＤＭＩ伝送部
１１３  ＥＤＩＤ格納領域
１１４  映像音声受信処理部
１１５  ディスプレイ
１１６  スピーカ
【図１】
2012199643.tif 000003
【図２】
2012199643.tif 000004
【図３】
2012199643.tif 000005
【図４】
2012199643.tif 000006
【図５】
2012199643.tif 000007
【図６】
2012199643.tif 000008